(57)【特許請求の範囲】
【請求項１】
無線ネットワーク制御局におけるプロセッサの処理能力を割り振る方法であって、
（ａ）ユーザ要素とネットワークとの間の接続のメッセージを監視する工程、
（ｂ）前記メッセージが前記ユーザ要素からの呼設定メッセージであるのか、前記プロセッサの１つからの割振りメッセージなのかを判断する工程、
（ｃ１）前記メッセージが呼設定メッセージである場合には、負荷バランス処理アルゴリズムに従って前記プロセッサのうちの１つのプロセッサを前記接続に割り振る工程、及び
（ｃ２）前記メッセージが割振りメッセージである場合には、前記接続に同じ拡散率を有する拡散符号のセットを割り振り、前記割振りメッセージを送信したプロセッサの呼処理アプリケーションに前記拡散符号のセットを送信する工程
を備える方法。
【請求項２】
工程（ｃ１）は、前記プロセッサのうちの１つのプロセッサによって、前記接続に呼処理アプリケーションを提供する工程をさらに含む請求項１に記載の方法。
【請求項３】
工程（ｃ１）は、前記プロセッサの各プロセッサの使用率を測定する工程をさらに含む請求項１に記載の方法。
【請求項４】
工程（ｃ１）は、ＣＰＵ当たりの呼コンテキスト量負荷バランス処理アルゴリズムまたはＣＰＵプロセッサ使用率負荷バランス処理アルゴリズムに基づいて前記プロセッサのうちの１つのプロセッサを割り振る請求項３に記載の方法。
【請求項５】
工程（ｃ２）は、同じ拡散率の拡散符号のセットを判断する工程をさらに含む請求項１に記載の方法。
【請求項６】
工程（ｃ２）において、前記拡散符号のセットが前記接続のソフトハンドオーバ／ソフトハンドオフのためのレグ数に依存する請求項５に記載の方法。
【請求項７】
工程（ａ）において、前記接続の前記メッセージは、汎用パケット無線サービス（ＧＰＲＳ）、ユニバーサル移動電話システム（ＵＭＴＳ）ネットワーク、および符号分割多重アクセス（ＣＤＭＡ）２０００規格のうちの少なくとも１つの規格に従って動作するネットワークのものである請求項１に記載の方法。
【請求項８】
前記方法は、無線ネットワーク制御局のプロセッサで実施される請求項１に記載の方法。
【請求項９】
無線ネットワーク制御局（ＲＮＣ）を含むネットワークであって、前記ＲＮＣは、
ユーザ要素とネットワークとの間の接続のメッセージを監視する手段、
前記メッセージが前記ユーザ要素からの呼設定メッセージであるのか、前記プロセッサの１つからの割振りメッセージなのかを判断する手段、及び
前記メッセージが呼設定メッセージである場合には、負荷バランス処理アルゴリズムに従って前記プロセッサのうちの１つのプロセッサを前記接続に割り振り、
前記メッセージが割振りメッセージである場合には、前記接続に同じ拡散率を有する拡散符号のセットを割り振り、前記割振りメッセージを送信したプロセッサの呼処理アプリケーションに前記拡散符号のセットを送信する手段
を備えるネットワーク。
【請求項１０】
プロセッサによって実行されると前記プロセッサに、無線ネットワーク制御局におけるプロセッサの処理能力を割り振る方法を実施させる複数の命令が記憶されたコンピュータ可読記憶媒体であって、前記方法が、
（ａ）ユーザ要素とネットワークとの間の接続のメッセージを監視する工程、
（ｂ）前記メッセージが前記ユーザ要素からの呼設定メッセージであるのか、前記プロセッサの１つからの割振りメッセージなのかを判断する工程、
（ｃ１）前記メッセージが呼設定メッセージである場合には、負荷バランス処理アルゴリズムに従って前記プロセッサのうちの１つのプロセッサを前記接続に割り振る工程、及び
（ｃ２）前記メッセージが割振りメッセージである場合には、前記接続に同じ拡散率を有する拡散符号のセットを割り振り、前記割振りメッセージを送信したプロセッサの呼処理アプリケーションに前記拡散符号のセットを送信する工程
を備える、コンピュータ可読記憶媒体。
【発明の詳細な説明】
【技術分野】
【０００１】
本発明は、遠隔通信ネットワークにおける処理の割振りに関し、より詳細には、無線ネットワークの基地局制御装置におけるプロセッサへの接続の割振りに関する。
【背景技術】
【０００２】
電波または無線遠隔通信ネットワークでは、公衆交換電話回線網（Ｐｕｂｌｉｃ  ｓｗｉｔｃｈｅｄ  ｔｅｌｅｐｈｏｎｅ  ｎｅｔｗｏｒｋ：ＰＳＴＮ）やインターネットなどの異なるサービス・プロバイダ間における無線音声通信および無線データ通信を行う。従来技術おいて配備されている典型的なネットワークは、汎用パケット無線サービス（Ｇｅｎｅｒａｌ  Ｐａｃｋｅｔ  Ｒａｄｉｏ  Ｓｅｒｖｉｃｅ：ＧＰＲＳ）、ユニバーサル移動電話システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）、および符号分割多重アクセス（Ｃｏｄｅ−Ｄｉｖｉｓｉｏｎ  Ｍｕｌｔｉｐｌｅ  Ａｃｃｅｓｓ：ＣＤＭＡ）２０００ネットワーク規格に準拠して動作する。無線ネットワークは、一般に、１つまたは複数の基地局（ＢＳ）、無線ネットワーク制御局（ＲＮＣ）、移動交換センタ（ＭＳＣ）、およびデータ・ゲートウェイを特徴とする。各ＢＳは、少なくとも１つの対応するセル、または専用無線通信受信可能範囲を管理する。ＭＳＣは、たとえばＰＳＴＮネットワークとのインタフェースとして機能するのに対し、データ・ゲートウェイは、たとえばインターネットに接続するＩＰネットワークとのインタフェースとして機能する。各基地局は、無線通信信号を介してユーザ要素（ＵＥ）と通信する。ユーザ要素は、携帯電話、無線ノート・コンピュータ、固定無線局などの、固定送受信機または移動送受信機である。
【０００３】
ＲＮＣは、基地局制御装置（ＢＳＣ）とトラフィック処理装置（ＴＰＵ）とを含む。ＴＰＵは、音声およびデータ転送（トラフィック）の管理のために使用され、ＢＳＣは、呼制御（信号通信）の管理のために使用される。ＢＳＣは、ＣＤＭＡ無線アクセス・ネットワーク（ＲＡＮ）をコア・ネットワーク（ＣＮ）に接続する。したがって、ＢＳＣは、各ＵＥとＣＮとの間の、ｉ）無線経路と、ｉｉ）信号通信とを管理する。
【０００４】
ＢＳＣは、複数のブレード（ブレードとは、装置プロセッサ・カードまたはユニットなどの、セルまたはセル・セクタに割り当てられた所定の機能の回路である）に分散された複数の中央処理装置（ＣＰＵ）を含む。各ＣＰＵは、ソフトハンドオーバ（モビリティ）、アウターループ電力制御、測定レポート、無線チャネル再構成などの処理の他に、ユーザ呼の設定と解除を行う処理をガイドする呼処理アプリケーション（ソフトウェア・プログラム）を実行する。呼処理アプリケーションは、呼設定および呼解除信号メッセージを処理すると共に、セル・コンポーネントの管理も行う。セル・コンポーネントとは、ＢＳセル・エリアの１セクタ（セルはセクタに分割することができる）１キャリヤ単位のカバーを可能にする回路および関連処理の論理表現である。たとえば、ＣＤＭＡネットワークでは、セル・コンポーネントは、セル／セクタへの拡散符号割当てのための拡散符号ツリーを管理する。セル・コンポーネントは、ＢＳがＵＥ（たとえば携帯電話）へのダウンリンク・チャネルを設定するために使用するダウンリンク拡散符号を使用する。ソフトハンドオーバ／ソフトハンドオフの状況では、ＵＥに同時に複数のＢＳが接続され、その際、それらのＢＳは、当該ＵＥと通信を行う場合に同じ拡散率を持つ拡散符号を使用する。ブレードのセル・コンポーネントは、同じ拡散率を持つ空き符号（すなわち利用可能かつ未使用の符号）を判断するために、互いに通信するかまたは調整インスタンスによってポーリングされる。
【発明の開示】
【発明が解決しようとする課題】
【０００５】
従来技術のＢＳＣのＣＰＵは、特定のセルと特定の呼処理アプリケーションとに関連づけられている。１つのセルから発信される呼は、一般に、同じＣＰＵで実行されている呼処理アプリケーションによって処理される。従来技術のＢＳＣでは、ＢＳＣのセル・ホーミング方法（cell homing strategy：ＣＰＵにどのようにセル・コンポーネントを割り当てるかの構成方法）とモビリティ・パターン（アクティブ呼時にユーザが複数のセルを通過する際の通過方法）とによっては、特定のセルに多くの音声呼およびデータ呼がある場合に高負荷になるＣＰＵと十分に利用されないＣＰＵとが生じることがある。セル・ホーミング方法は、すべてのＣＰＵが同じ量のセル・コンポーネントを管理するようにするランダム分散とするか、または最も負荷の高い複数のセルが同じＣＰＵに関連づけられないように履歴データに基づく負荷バイアス分散などとすることができるが、これらには限定されない。分散セル・ホーミング方法では、ユーザのモビリティ・パターンや課金モデルの変化や新しい移動体アプリケーションのために、トラフィック負荷分析を繰り返し行って最適セル配置を定義する必要がある。
【０００６】
拡散符号の割振りまたは割振り解除が行われるたびに、セル・コンポーネントはＣＰＵ負荷を生じさせる。分散システムでは、呼処理アプリケーションが符号割振り／割振り解除要求を、処理されるＵＥのソフトハンドオーバ・レグを持つすべてのセル・コンポーネントに個別に送る。音声呼は、信号接続の確立直後にトラフィック接続を設定する。この両方の接続は、音声呼解除時に解除される。データ呼も両方の接続を続けて設定する。しかし、データ・セッションの初期設定後、送信するデータがない場合、データ呼は直ちにトラフィック接続を中断する。この中断状態は、拡散符号が割振り解除されることを意味するが、これはＵＥ上のデータ交換アプリケーションにとってトランスペアレントである。データ・バーストを送信するときにのみ、新しい拡散符号が割り振られ、トラフィック無線リンクが復活される。データ送信が完了すると、トラフィック接続（無線リンク）は再び中断される。データ・トラフィックのバースト性によって、無線リンクの設定と解除が何度も行われ、それによって拡散符号割振りと割振り解除も行われる。
【０００７】
さらに、ＵＥがセル境界を通過するとき、新しいＣＰＵ、場合によっては異なるブレードにあるＣＰＵが、接続の無線部分を処理することがある。しかし、ＵＥの呼設定要求を処理した元のＣＰＵの、ＵＥコンテキストと呼ばれる呼処理アプリケーションＣＰＵ結合は、アンカ／サービス提供ＲＮＣの切り換えのような条件の場合を除き、移動しない。これは、すべての呼状態情報を移動するのは演算上きわめて高くつくためである。ＵＥコンテキストが移動しないため、元のＣＰＵと新しいＣＰＵとの間でメッセージが生成され、ＣＰＵ間メッセージ交換オーバーヘッドが増大する。
【課題を解決するための手段】
【０００８】
本発明の例示の実施形態によると、電波または無線遠隔通信ネットワークの基地局制御装置（ＢＳＣ）は、ディレクタを備える。ＢＳＣは、複数の中央処理装置（ＣＰＵ）を備え、各ＣＰＵは１つまたは複数の接続のために呼処理アプリケーションを実行する。ディレクタは無線呼設定信号通信をインタセプトし、集中型負荷バランス処理アルゴリズムに従って、ＣＰＵに対応する各接続を割り当てる。集中型負荷バランス処理アルゴリズムは、負荷のより小さいＣＰＵに接続を分配することによって、ｉ）各ＣＰＵが過負荷状態になるのを防ぎ、ｉｉ）未使用資源を利用し、ｉｉｉ）全体的なシステム・パフォーマンスを向上させる。ディレクタは、基地局の符号分割多重アクセス（ＣＤＭＡ）ダウンリンク拡散符号を管理するセル・コンポーネントのホストとして機能する。呼処理アプリケーションは、ディレクタに符号割振り要求を送り、ディレクタは現在ＵＥに接続されている基地局の符号セットを返す。
【０００９】
本発明の例示の実施形態によると、無線ネットワーク制御局におけるプロセッサの処理能力は、１）ユーザ要素とネットワークとの接続のメッセージを監視し、２）メッセージが呼設定メッセージである場合、負荷バランス・アルゴリズムに従って、プロセッサのうちの１つのプロセッサを接続に割振り、メッセージが割振りメッセージである場合、同じ拡散率の拡散符号のセットを接続に割り振ることによって割り振られる。
【発明を実施するための最良の形態】
【００１０】
本発明のその他の態様、特徴、および利点は、以下の詳細な説明と、特許請求の範囲と、添付図面とから十分に明らかになろう。
【００１１】
図１に、本発明の例示の実施形態による集中セル・ホーミングおよび負荷バランシングを使用する通信ネットワーク１０１のブロック図を示す。ネットワーク１０１を使用して、公衆交換電話回線網（ＰＳＴＮ）１０２およびインターネット１０３として図示されている、異なるサービス・プロバイダ間の無線音声およびデータ通信を行うことができる。ネットワーク１０１は、汎用パケット無線サービス（ＧＰＲＳ）、ユニバーサル移動電話システム（ＵＭＴＳ）、および／または符号分割多重アクセス（ＣＤＭＡ）２０００規格に準拠して動作することができる。ネットワーク１０１は、少なくとも２つの基地局（ＢＳ）１１０および１１１と、無線ネットワーク制御局（ＲＮＣ）１１２と、移動交換センタ（ＭＳＣ）１１３と、データ・ゲートウェイ１１４とを含む。
【００１２】
ＲＮＣ１１２は、後述のように本発明の実施形態例により動作するディレクタを備える。ＢＳ１１０は、セル１２０および１２１に無線電波通信を提供し、ＢＳ１１１はセル１２２および１２３に無線電波通信を提供し、データ・ゲートウェイ１１４は、サービス支援ノード１１５とゲートウェイ支援ノード１１６とを含むことができる。データ・ゲートウェイは、データ呼のユーザ・モビリティ、課金記録収集、ＩＰアドレス割振りなどを管理する。各基地局は、ユーザ要素（ＵＥ）１３０と無線電波リンク１３１および１３２を介して通信することができる。
【００１３】
図２に、基地局制御装置（ＢＳＣ）２０１、トラフィック処理装置（ＴＰＵ）２０２と、交換機２０３とを有するＲＮＣ１１２の実施形態例を示す。ＢＳＣ２０１は、本発明の１つまたは複数の実施形態例により動作するディレクタ２１０を含む。ＴＰＵ２０２は、音声およびデータ転送の管理のために使用され、ＢＳＣ２０１は、呼制御（信号通信）の管理のために使用される。交換機２０３は、ＢＳＣ２０１とＴＰＵ２０２との間で信号を転送する相互接続のために使用される低レベル構成要素である。
【００１４】
ＢＳＣ２０１は、ＣＤＭＡ無線アクセス・ネットワーク（ＲＡＮ）をコア・ネットワーク（ＣＮ）に接続する。図１で、ＲＡＮは、ＵＥ１３０とＢＳ１１０とＢＳ１１１とを含み、ＣＮは、ＰＳＴＮ１０２に結合されたＭＳＣ１１３と、ＩＰネットワーク１０３に結合されたデータ・ゲートウェイ１１４とを含む。提供業者の内部ＩＰネットワークは、一般に、データ・ゲートウェイをファイヤウォールを介してインターネットに接続する。ＢＳＣ２０１は、ＵＥ１３０とＣＮとの間の無線経路と信号通信の動作を調整する。
【００１５】
図２を参照すると、ＢＳＣ２０１は、複数のブレード２０４（１）〜２０４（Ｍ）に分散された複数の中央処理装置（ＣＰＵ）２０３（１）〜２０３（Ｎ）を含む。ＣＰＵ２０３（１）〜２０３（Ｎ）の各ＣＰＵは、ＣＮとのＵＥ接続（または「呼」、ただし接続は音声、音声帯域、またはパケット・データとすることができる）の設定と解除とを行う処理をガイドする、呼処理アプリケーションのインスタンスを実行する。
【００１６】
ＣＰＵ２０３（１）〜２０３（Ｎ）のうちの所与の１つのＣＰＵ上で実行されている呼処理アプリケーションは、呼設定および呼解除信号メッセージを処理する。呼処理アプリケーションは、セル・コンポーネントの管理も行う。セル・コンポーネントは、ＢＳセル・エリアの１セクタ１キャリヤ単位のカバーを可能にする。セル・コンポーネントは、ＢＳが使用するダウンリンク拡散符号を使用して、ＵＥ（たとえば携帯電話）へのダウンリンク・チャネルを設定する。ソフトハンドオーバ／ソフトハンドオフ時には、同じ拡散率の拡散符号を使用してＵＥに同時に複数のＢＳが接続される。セル・コンポーネントは、ディレクタ２１０と通信し、ディレクタは同じ拡散率の空き符号を判断する。
【００１７】
本発明の実施形態例によると、ディレクタ２１０は、セル間／セクタ間の接続設定に使用されるメッセージ、またはセル間／セクタ間の接続のソフトハンドオーバ／ソフトハンドオフに関するメッセージを監視する回路および関連処理を表す論理エンティティである。ディレクタ２１０は、無線呼設定信号通信をインタセプトし、集中型負荷バランス処理アルゴリズムに従って、ＣＰＵ２０３（１）〜２０３（Ｎ）のうちの１つのＣＰＵに、対応する接続を割り当てる。集中型負荷バランス処理アルゴリズムは、より低負荷のＣＰＵに接続を分配することによって、ｉ）個々のＣＰＵが過負荷状態になるのを防ぎ、ｉｉ）未使用のシステム資源を利用し、ｉｉｉ）全体的なシステム・パフォーマンスを向上させる。呼がＣＰＵに割り当てられた後は、ディレクタ２１０は、その後のすべての呼関連信号メッセージを当該ＣＰＵに転送し、呼処理アプリケーションによって処理させる。
【００１８】
ディレクタ２１０は、ＢＳ１１０のＣＤＭＡダウンリンク拡散符号を管理するセル・コンポーネントのホストとしても機能する。ディレクタ２１０は、ＣＰＵ２０３上で実行されている呼処理アプリケーションのための拡散符号の集中割振りを行う。ディレクタ２１０は、無線リンクの確立／解除（たとえばソフトハンドオーバ／ソフトハンドオフ、データ・バースト、音声呼設定／解除）を行う拡散符号の割振り／割振り解除メッセージに応答し、対応するセル・コンポーネントに照会して、同じ拡散率を有する拡散符号の適切なセットを判断する。接続のソフトハンドオーバ／ソフトハンドオフのための拡散符号のセットが判断されると、ディレクタ２１０は、ＣＰＵ２０３上で実行されている対応する照会元呼処理アプリケーションに当該拡散符号セットを返す。
【００１９】
図２では、ディレクタ２１０はＢＳＣ２０１の別個の構成要素として図示されているが、本発明はこれには限定されない。ディレクタは、所与のブレード上の専用プロセッサ内や、ＲＮＣ内のプロセッサのうちのいずれか１つのプロセッサで実現される機能としてなど、ＢＳＣに結合されたＲＮＣ内の複数の構成要素のうちのいずれかの構成要素において実施することもできる。
【００２０】
図３に、図２のディレクタ２１０によって使用される方法３００の一例を示す。工程３０１で、ディレクタは、呼設定要求または割振りメッセージを受け取る。工程３０２で、呼設定要求または割振りメッセージを受け取ったか否かが判断される。工程３０２の検査によって、呼設定要求を受け取ったと判断された場合は、この方法は工程３０４に進む。工程３０２の検査で、割振りメッセージを受け取ったと判断された場合は、この方法は工程３０６に進む。
【００２１】
工程３０４で、ディレクタは、所定の負荷バランス・アルゴリズムに基づいて、呼処理のためのＢＳＣのＣＰＵを選択する。工程３０５で、ディレクタは、選択したＣＰＵ上で実行されている呼処理アプリケーションに、呼設定要求を転送する。これにより、呼処理アプリケーションが呼設定要求を処理することができる。この方法は、工程３０５から工程３０１に戻る。
【００２２】
工程３０６で、ディレクタは割振りメッセージを処理する。ダウンリンク拡散符号割振りの場合、ディレクタは、典型的には単一の割振りメッセージを受け取る。ディレクタは、セル・コンポーネントに照会して、同じ拡散率の拡散符号のセットを判断する。この拡散符号のセットは、ソフトハンドオーバ／ソフトハンドオフのレグに依存する。工程３０７で、ディレクタはこの拡散率の同じ拡散符号のセットを、呼処理アプリケーションに送る。この方法は、工程３０７から工程３０１に戻る。
【００２３】
ディレクタは、工程３０４で、当技術分野で周知の異なる負荷バランス・アルゴリズムを使用してもよい。たとえば、次のような２つの負荷バランス・アルゴリズムがある。第１の負荷バランス・アルゴリズムは、１ＣＰＵ当たりの呼コンテキストの量に基づいて割振りを行い、大数の法則により、個々の利用者がかける負荷の平均が得られる。この第１の負荷バランス・アルゴリズムは、各ブレード上で現在処理されている呼の数を（たとえば呼設定／呼解除メッセージをインタセプトするか、またはすべてのＣＰＵ／ブレードを周期的にポーリングすることによって）追跡する。このアルゴリズムは、１ＣＰＵ当たりの平均呼数（＝合計呼数／ＣＰＵ数）を求め、この平均呼数に、ＣＰＵの合計呼処理能力で重み付けする。次に、最も重み付けの少ないＣＰＵを選択する。このシステムでは呼数が多いため（数千）、それらの呼によるシステム負荷が平均される。
【００２４】
第２の負荷バランス・アルゴリズムは、呼処理能力で重み付けされたＣＰＵ使用率に基づいてバランスさせる。ＣＰＵ使用率の所定の閾値を超えると、最も負荷の少ないＣＰＵに接続を転送する。転送は、ＣＰＵ使用率は、閾値を下回るまで、または過負荷閾値に近い値に達するまで続けられる。この第２の閾値に達すると、転送は停止され、新たな呼は廃棄され始める。負荷バランス・アルゴリズムは、ＣＰＵ使用率を示す標識として、ＣＰＵ負荷の測度を必要とする。このような測度は、たとえば、ＣＰＵに割り当てられた呼の数の測度、ＣＰＵによって処理された接続の種類（たとえば音声、データ、または音声帯域データ）の測度、またはＣＰＵによって現在使用されているプロセッサ使用率（利用可能処理能力または「パワー」）の測度とすることができる。
【００２５】
本発明の１つまたは複数の実施形態によるＢＳＣにおける集中型負荷バランス処理には、たとえば以下のような利点がある。システム負荷に関する集中化された情報により、最適化された負荷バランス処理アルゴリズムの使用が可能になる。このような負荷バランス処理アルゴリズムは、分散セル・ホーミング方式によって生じる、セル・コンポーネントにかかる変動メッセージ・コストを考慮せずに、ＣＰＵ使用率のみについて最適化することができる。ソフトハンドオーバ／ソフトハンドオフ状態における接続の場合、割当て拡散符号のネゴシエーションはローカルで行うことができ、これによってＣＰＵ間オーバヘッド・メッセージ・トラフィックが低減される。また、本発明によると、接続および拡散符号割当てのための履歴トラフィック・データの分析が不要なため、運用費が少なくて済み、新たなセルの追加に伴う複雑さが軽減される。
【００２６】
本発明は、ネットワーク・コントローラやコンピュータなどの処理装置で実施可能であり、その処理装置をネットワークまたはネットワーク・データベースに接続して、本明細書に記載の方法によって使用されるネットワーク・トポロジ、プロビジョニング、および容量に関する情報を受け取ることができる。さらに、本発明は、有線、無線、光、または非光ネットワークで使用することができ、同期と非同期のいずれのネットワークでも使用可能である。
【００２７】
当業者ならわかるように、ディレクタの様々な機能は、回路素子で実施することができ、ソフトウェア・プログラムにおける処理工程としてデジタル領域でも実施可能である。そのようなソフトは、たとえばデジタル信号処理装置、マイクロコントローラ、または汎用コンピュータで実施することができる。
【００２８】
本発明は、これらの方法を実施するための方法および装置の形態で実施することができる。また、本発明は、フロッピィ・ディスケット、ＣＤ−ＲＯＭ、ハード・ドライブ、またはその他の機会可読記憶媒体などの有形媒体において実現されたプログラム・コードの形態でも実施可能であり、その場合、当該プログラム・コードはコンピュータなどの機械にロードされ、実行されて、当該機械は本発明を実施する装置となる。また、本発明はプログラム・コードの形態で実施することもできる。さらに、本発明は、記憶媒体に記憶されているか、機械にロードおよび／または実行されるか、または、電線またはケーブル、光ファイバ、または電磁放射を介するものなど何らかの送信媒体を介して送信されるかを問わず、プログラム・コードの形態でも実施することができ、当該プログラム・コードは、コンピュータなどの機械にロードされ、実行されて、当該機械は本発明を実施するための装置となる。汎用コンピュータで実施した場合、プログラム・コード・セグメントは、プロセッサと組み合わさって、特定の論理回路と同様に動作する独自の装置を実現する。
【００２９】
さらに、本発明の性質を明らかにするために説明し、例示した各部の詳細、材料、および配置構成には、特許請求の範囲に記載の本発明の原理および範囲から逸脱することなく当業者により様々な変更を加えることができることがわかるであろう。
【図面の簡単な説明】
【００３０】
【図１】本発明の例示の実施形態による集中セル・ホーミングおよび負荷バランシングを使用する通信ネットワークを示すブロック図である。
【図２】図１の無線ネットワーク制御局の例示の実施形態を示す図である。
【図３】図２のディレクタによって実施される方法の例を示す図である。
【図１】
0004767572.tif 000002
【図２】
0004767572.tif 000003
【図３】
0004767572.tif 000004